(57)【要約】【課題】  空気中及び廃液中の雑菌を処理して、衛生的に優れた廃液用トラップを提供する。【解決手段】  底面を扁平にして床面上に安定載置可能な合成樹脂製容器に、略Ｕ字形で廃液の非排出時には底部に適量の廃液を貯留保持してあり、かつ、廃液排出時には常閉逆止弁２を浮上させて廃液をこの容器内に流出させるトラップ３と、トラップ３からの流出により容器内に一定量以上の廃液が貯留されたとき開弁して廃液を容器外に排出させる弁装置４とを内装してある廃液用トラップ１において、トラップ３、弁装置４及び合成樹脂製容器の内、少なくとも何れか一つが、抗菌処理部を備えている。【選択図】        図１
2005336956.tif 000002
【特許請求の範囲】
【請求項１】
底面を扁平にして床面上に安定載置可能な合成樹脂製容器に、略Ｕ字形で廃液の非排出時には底部に適量の廃液を貯留保持してあり、かつ、廃液排出時には常閉逆止弁を浮上させて廃液をこの容器内に流出させるトラップと、前記トラップからの流出により容器内に一定量以上の廃液が貯留されたとき開弁して廃液を容器外に排出させる弁装置とを内装してある廃液用トラップにおいて、
前記トラップ、前記弁装置及び前記合成樹脂製容器の内、少なくとも何れか一つが、抗菌処理部を備えている廃液用トラップ。
【請求項２】
前記抗菌処理部が、無機系抗菌性化合物から成る抗菌剤を塗布した被膜により形成してある請求項１に記載の廃液用トラップ。
【請求項３】
前記トラップの前記常閉逆止弁が廃液の非排出時に接する面、及び、前記弁装置の弁が廃液の非排出時に接する面の少なくとも何れか一方に、凹凸部が形成してあり、
前記抗菌処理部が、当該凹凸部を形成した面上に形成され、その表面が平滑化処理されている請求項２に記載の廃液用トラップ。
【請求項４】
前記抗菌処理部が、混入部材により形成してある請求項１に記載の廃液用トラップ。
【発明の詳細な説明】
【技術分野】
【０００１】
本発明は、廃液用トラップに関する。
【背景技術】
【０００２】
従来、空調機から排出されるドレンや風呂場、台所等において、廃液から発生する臭気が廃液排出路から進入するのを防止するために、例えば、廃液排出路を略Ｎ字状に湾曲形成して湾曲個所底部に適量の廃液を貯留し、水封作用によって臭気が進入するのを防止していた。しかし、使用頻度が少ない場合に生じる貯留廃液の自然蒸発や、廃液排出路の廃液流入口と廃液出口との間の極端な差圧変化による吸引作用によって、廃液排出路の湾曲箇所底部の貯留廃液が抜取られる等、貯留廃液が著しく減少或は枯水することがあり、その結果、貯留廃液の水封作用による臭気侵入防止効果が低下したり、喪失することがあった。
これに対し、廃液排出路の貯留廃液が抜出されることがあっても臭気防止効果を発揮可能な技術として、例えば、底面を扁平にして床面上に安定載置可能な合成樹脂製容器に、略Ｕ字形で廃液の非排出時には底部に適量の廃液を貯留保持してあり、かつ、廃液排出時には常閉逆止弁を浮上させて廃液をこの容器内に流出させるトラップと、前記トラップからの流出により容器内に一定量以上の廃液が貯留されたとき開弁して廃液を容器外に排出させる弁装置とを内装してある廃液用トラップがある（例えば、特許文献１参照）。
【０００３】
【特許文献１】実開昭５３−６０５２号公報
【発明の開示】
【発明が解決しようとする課題】
【０００４】
廃液用トラップは、一般家庭だけでなく病院等の医療施設等にも用いられる。特に、医療施設では感染症等を防止するために抗菌化が進んでおり、衛生面での向上が望まれている。特許文献１に記載の廃液用トラップは、廃液から発生する臭気が室内に侵入するのを効果的に防止することができたが、空気中や廃液中の雑菌等を十分に取除くことができるものではなかった。また、水周りに使用される廃液用トラップは、微生物等が増殖することによる汚れや臭気が発生し易いため、微生物等の増殖を押える技術が望まれている。
【０００５】
本発明は上記の問題に鑑みてなされたものであり、その目的は、臭気が侵入するのを防止すると共に、空気中及び廃液中の雑菌を処理して、衛生的に優れた廃液用トラップを提供する点にある。
【課題を解決するための手段】
【０００６】
この目的を達成するための本発明に係る廃液用トラップの特徴構成は、底面を扁平にして床面上に安定載置可能な合成樹脂製容器に、略Ｕ字形で廃液の非排出時には底部に適量の廃液を貯留保持してあり、かつ、廃液排出時には常閉逆止弁を浮上させて廃液をこの容器内に流出させるトラップと、前記トラップからの流出により容器内に一定量以上の廃液が貯留されたとき開弁して廃液を容器外に排出させる弁装置とを内装してある廃液用トラップにおいて、前記トラップ、前記弁装置及び前記合成樹脂製容器の内、少なくとも何れか一つが、抗菌処理部を備えている点にある。
即ち、上記特徴構成によれば、抗菌処理部を備えているので、廃液用トラップを介して廃液から発生する臭気の侵入を防ぐと共に、空気中の雑菌をトラップ内で殺菌処理することができ、衛生的に優れた廃液用トラップを得ることができる。また、水周りに使用される廃液用トラップは、微生物等が増殖することによる汚れや臭気が発生し易いため、抗菌処理部を備えることにより、微生物等の増殖を押え、より効果的に臭気や汚れの発生を押えることができる。
【０００７】
本発明に係る廃液用トラップの他の特徴構成は、前記抗菌処理部が、無機系抗菌性化合物から成る抗菌剤を塗布した被膜により形成してある点にある。
即ち、上記特徴構成によれば、抗菌処理部を抗菌剤を塗布した被膜により形成するので、従来の廃液用トラップをそのまま利用して、安価にかつ大きな設計変更無しに、衛生的に優れた廃液用トラップを作製することができる。尚、ここでの抗菌剤は、殺菌剤、静菌剤、殺黴剤及び抗ウイルス剤等を含むものである。また、上記特徴構成の如く、有機系抗菌性化合物よりも安全性が高く、耐熱性に優れた低毒性の無機系抗菌性化合物を抗菌剤に利用することで、病院等、安全性等に特に配慮が必要な設備に対しても適用できる。
【０００８】
更に、他の特徴構成は、前記トラップの前記常閉逆止弁が廃液の非排出時に接する面、及び、前記弁装置の弁が廃液の非排出時に接する面の少なくとも何れか一方に、凹凸部が形成してあり、前記抗菌処理部が、当該凹凸部を形成した面上に形成され、その表面が平滑化処理されている点にある。
即ち、上記特徴構成によれば、部材同士が接触し抗菌剤の被膜が剥がれ易い部分に凹凸部を形成するため、その面上に形成した抗菌剤の被膜が剥がれ難くなる。更に、凹凸部を形成したことにより、部材同士の接触により、トラップ及び弁装置に形成された凹凸部の凸部まで抗菌剤の被膜が磨耗し削られても、凹凸部の凹部には抗菌剤の被膜が残存することとなるので、廃液用トラップの抗菌効果を良好に維持することができる。また、抗菌処理部の表面を平滑化処理するので、トラップと常閉逆止弁との間及び弁装置に隙間を生じさせることなく、凹凸部を形成したトラップ及び弁装置の防臭性を損うことがない。
【０００９】
本発明に係る廃液用トラップの更に他の特徴構成は、前記抗菌処理部が、混入部材により形成してある点にある。
即ち、上記特徴構成によれば、混入部材を用いて抗菌処理部を形成するので、使用により抗菌処理部が損われることがなく、抗菌効果を良好に持続させることができる廃液用トラップを得ることができる。
【発明を実施するための最良の形態】
【００１０】
本発明に係る廃液用トラップの第一実施形態を図１及び図２に基づいて説明する。
図１は、本発明に係る廃液用トラップ１の側面視方向の断面図であり、図２は、平面視方向の断面図である。廃液用トラップ１は、底面を扁平にして床面上に安定載置可能な容器本体１Ａと、この容器本体１Ａの上端部に着脱自在に嵌合させた点検蓋１Ｂとからなる合成樹脂製容器を用いて構成され、容器本体１Ａの内部に、トラップ３と弁装置４とが設置されている。容器本体１Ａ、トラップ３、弁装置４には夫々、抗菌処理部１ｃ、３ｃ、４ｃが形成されている。
【００１１】
トラップ３は、容器本体１Ａの側壁１ａの外面に突出開口する廃液取入口３ａ、略Ｕ字形に形成された湾曲流路３Ａ、下流端部近くに設けられたフロート弁形式の略球状の常閉逆止弁２、及び、常閉逆止弁２の近傍上部の周面に設けられた複数個の廃液流出口３ｂから構成してある。廃液の非排出時には、湾曲流路３Ａの底部に適量の廃液を貯留保持して廃液流出口３ｂから廃液取入口３ａに臭気が侵入するのを防止する。廃液排出時には、廃液取入口３ａからの廃液の流入により常閉逆止弁２が浮上し、廃液流出口３ｂを通して廃液が容器本体１Ａの内部に流出する。容器本体１Ａに流出した廃液は、容器内流路４Ｃを介して弁装置４に流入する。
【００１２】
弁装置４は、容器内流路４Ｃからの廃液を取り入れる廃液流入口４ａ、及び、容器本体１Ａの側壁１ａに対向する側壁１ａ’の外面に突出開口する廃液排出口４ｂを有する筒状部材４Ａと、筒状部材４Ａの底部４Ｄに形成された廃液流入口４ａの内側上部に設けたフロート弁形式の略円板状の防臭弁４Ｂとから構成してある。弁装置４は、トラップ３からの廃液の流出により容器本体１Ａの内部に一定量以上の廃液が貯留されたとき、廃液の押上圧力によって防臭弁４Ｂが開弁し、廃液排出口４ｂから廃液が容器本体１Ａの外部に排出するように構成されている。防臭弁４Ｂは、廃液排出口４ｂの下部と略同じ高さに設けてある。
【００１３】
本実施形態の抗菌処理部１ｃ、３ｃ、４ｃは、無機系抗菌性化合物から成る抗菌剤を塗布した被膜により形成してある。ここでの抗菌剤は、無機系抗菌性化合物、特に、銀を含む銀系無機抗菌性化合物であり、この銀系無機抗菌性化合物は、安全性が高く、水や熱による抗菌効果の低下がなく、持続性に優れ、耐性菌が発生し難いといった利点を有している。また、持続性の向上や耐塩素性向上等を図るために、担体等の抗菌性向上助剤と組み合せたものを利用してもよい。
【００１４】
抗菌処理部１ｃ、３ｃ、４ｃは、図１及び図２に示すように、容器本体１Ａ、点検蓋１Ｂ、トラップ３及び弁装置４の廃液に接する面全体について形成されている。詳細には、容器本体１Ａの抗菌処理部１ｃは、容器本体１Ａの内部全体に形成され、トラップ３の抗菌処理部３ｃは、トラップ３の湾曲流路３Ａ、常閉逆止弁支持部３Ｄ及び廃液流出口３ｂの内外両面に形成されている。弁装置４の抗菌処理部４ｃは、筒状部材４Ａ、廃液流入口４ａ及び廃液排出口４ｂの両面に形成されている。また、常閉逆止弁２や防臭弁４Ｂについても、その全体に抗菌剤を塗布して抗菌処理部を設けるのも好ましい実施態様である。
【００１５】
尚、本実施形態の抗菌剤は、銀系無機抗菌性化合物を用いたが、廃液用トラップ１の設置場所や用途に応じて適切な抗菌剤を選択して用いる。更に、廃液用トラップ１の内部には光が入らないことから、光触媒ではない抗菌剤を用いるか、銀や銅等の金属を含み少量の光でも抗菌効果を発揮できる抗菌剤を用いる。
【００１６】
次に、本発明に係る廃液用トラップ１の第二実施形態について図３及び図４を基に説明する。本実施形態では、トラップ３の常閉逆止弁２が廃液の非排出時に接する面に凹凸部３ｄが形成してあり、弁装置４の防臭弁４Ｂが廃液の非排出時に接する面に凹凸部４ｄが形成してある。
【００１７】
トラップ３の凹凸部３ｄは、図３に示すように、常閉逆止弁２を支持する常閉逆止弁支持部３Ｄに形成されている。常閉逆止弁支持部３Ｄは、円環状に形成されており、常閉逆止弁２に接する内側側面が常閉逆止弁２の形状に合わせて形成され、この面に形成された複数の円形の溝が凹凸部３ｄを構成している。そして、凹凸部３ｄを含む常閉逆止弁支持部３Ｄ全体に、抗菌処理部３ｃとして抗菌剤の被膜が形成されている。この抗菌剤の被膜の表面は平滑化処理されており、常閉逆止弁２と隙間無く接するように形成されている。これによって、トラップ３に形成された抗菌処理部３ｃは、凹凸部３ｄにより常閉逆止弁支持部３Ｄから剥がれ難く、仮に、常閉逆止弁２の開閉動作により抗菌処理部３ｃの表面が凹凸部３ｄの溝の山部分まで磨耗したとしても、凹凸部３ｄの溝の谷部分に抗菌処理部３ｃが残存することとなり、より長期間に渡って抗菌効果を維持することが可能になる。
【００１８】
弁装置４の凹凸部４ｄは、図４に示すように、防臭弁４Ｂを支持する筒状部材４Ａの内側底部４Ｄに設けられており、廃液流入口４ａ周りに形成された複数の円形の溝から構成されている。そして、トラップ３の抗菌処理部３ｃと同様に、凹凸部４ｄを含む底部４Ｄの全体に、抗菌処理部４ｃとして抗菌剤の被膜が形成され、その表面が平滑化処理されており、常閉逆止弁２と隙間無く接するように形成されている。これによって、弁装置４に形成された抗菌処理部４ｃは、トラップ３の抗菌処理部３ｃと同様に、凹凸部４ｄにより内側底部４Ｄから剥がれ難く、防臭弁４Ｂの開閉動作に対する耐磨耗性が高いので、より長期間に渡って抗菌効果を維持することが可能になる。
【００１９】
尚、本実施形態では、トラップ３及び弁装置４の両方に凹凸部３ｄ、４ｄを設けたが、一方にのみ設ける構成であってもよい。また、溝の形状は円形に限る必要はなく、抗菌剤を良好に保持可能な形状にする。
【００２０】
続いて、本発明に係る廃液用トラップ１の別実施形態について説明する。
第一及び第二実施形態では、抗菌処理部１ｃ、３ｃ、４ｃは、抗菌剤を塗布した被膜によって形成していたが、本実施形態では、抗菌処理部１ｃ、３ｃ、４ｃを抗菌性化合物を混入させた混入部材により形成してある。混入部材に混入させる抗菌性化合物としては、例えば、耐熱性が高い銀系無機抗菌性化合物を用いる。詳細には、例えば、容器本体１Ａ、トラップ３の湾曲流路３Ａ及び常閉逆止弁支持部３Ｄ、弁装置４の筒状部材４Ａ及び底部４Ｄ等の部材を混入部材により形成する。この場合には、部材全体が抗菌処理部となる。このため、混入部材を用いて容器本体１Ａ、トラップ３及び弁装置４を作製すれば、使用により容器本体１Ａ、トラップ３及び弁装置４の各部材が磨耗しても、抗菌性が損われることがなく、抗菌効果の持続性に優れた廃液用トラップ１を作製することができるのである。
【００２１】
尚、第一及び第二実施形態では、抗菌処理部１ｃ、３ｃ、４ｃを容器本体１Ａ、点検蓋１Ｂ、トラップ３及び弁装置４に設けたが、これらの内の何れか一つに設ける構成、或は、廃液に接する面に対し部分的に抗菌処理部を設ける構成とするのも好ましい実施態様である。
更に、抗菌処理部は、容器本体１Ａ、点検蓋１Ｂ、トラップ３及び弁装置４の全部を抗菌剤の塗布、或は、混入部材によって作製する必要は無く、一部の抗菌処理部を抗菌剤の塗布により形成し、他の抗菌処理部を混入部材により形成する等、組み合せて構成するのも好ましい実施態様である。
【図面の簡単な説明】
【００２２】
【図１】本発明に係る廃液用トラップの第一実施形態を示す側面視方向の断面図
【図２】本発明に係る廃液用トラップの第一実施形態を示す平面視方向の断面図
【図３】本発明に係る廃液用トラップの第二実施形態を示す断面図
【図４】本発明に係る廃液用トラップの第二実施形態を示す断面図
【符号の説明】
【００２３】
１                廃液用トラップ
２                常閉逆止弁
３                トラップ
４                弁装置
１ｃ、３ｃ、４ｃ  抗菌処理部
３ｄ、４ｄ        凹凸部
【図１】
2005336956.tif 000003
【図２】
2005336956.tif 000004
【図３】
2005336956.tif 000005
【図４】
2005336956.tif 000006